(57)【要約】【課題】  幼児が興味をもって楽しく、疑似コミュニケーションによる言葉遊びを行うことができる携帯電話機型玩具を提供する。【解決手段】  携帯電話機型玩具１は、電話機本体２と表示部６付きの蓋体３とをヒンジ部４により開閉可能に連結することで構成されている。電話機本体２と蓋体３には、音感知センサ８と音声発生用スピーカ９とが設けられ、またメインスイッチ１１も設けられている。該玩具の内部には、メインスイッチ１１のオンまたは音感知センサ８による音感知によって、表示部６に適宜の表示画像を表示するとともに、予め記憶したフレーズをスピーカ９から出力させるＣＰＵ１０を備えている。このＣＰＵは、音感知センサ８によって幼児の話し声が途切れたときに、適宜のフレーズを出力するように構成されている。【選択図】        図１
0003108962.tif 000002
【実用新案登録請求の範囲】
【請求項１】
電話機本体と表示部付き蓋体とを開閉可能に連結してなる折り畳み式携帯電話機に合わせた形状を呈する携帯電話機型玩具であって、  この携帯電話機型玩具は、幼児の話し声を音として感知する音センサを有するとともに話し声の途切れを判断する機能を有する音感知手段と、予め記憶したフレーズをスピーカから音声出力する音声発生手段と、前記音感知手段からの信号により前記音声発生手段での音声出力を制御する制御手段とを備えていることを特徴とする携帯電話機型玩具。
【請求項２】
請求項１記載の携帯電話機型玩具において、  前記携帯電話機型玩具はメインスイッチを備え、このメインスイッチのキー操作時、音センサによる音感知時あるいは蓋体の開蓋時のいずれかによって起動されるように構成されていることを特徴とする携帯電話機型玩具。
【請求項３】
請求項１または請求項２記載の携帯電話機型玩具において、  携帯電話機型玩具は、起動することにより蓋体の表示部にキャラクタ画像を表示するように構成されていることを特徴とする携帯電話機型玩具。
【請求項４】
請求項３記載の携帯電話機型玩具において、  前記表示部に表示されるキャラクタ画像を変更する手段を備えていることを特徴とする携帯電話機型玩具。
【考案の詳細な説明】
【技術分野】
【０００１】  本考案は、幼児が興味をもって楽しく言葉遊びを行うことができる疑似コミュニケーション用の携帯電話機型玩具に関する。
【背景技術】
【０００２】  幼児用おもちゃとして、擬似的にコミュニケーションを行える対話型の玩具が、人形型のもの、ロボットタイプのもの、あるいは犬、猫などの動物タイプのもの等、各種提案されている。さらに、最近では、携帯電話機などを模したものも知られている。【０００３】  この種従来の携帯電話機型玩具として、たとえば携帯電話機としての機能に加えて、動画を表示する表示部を備え、また音声やメロディ音を聞くことができるものがある（例えば、特許文献１参照）。【０００４】
【特許文献１】特開２００１−１８７２８０
【考案の開示】
【考案が解決しようとする課題】
【０００５】  しかし、上述した従来の携帯電話機型玩具は、本物の携帯電話機としての機能、たとえば着信を検知する機能等も有しているので、玩具としては、構造が複雑であり、コスト面で問題となり、また幼児にとって興味をもち、楽しく遊ぶ要素に欠けるという問題があった。【０００６】  本考案はこのような事情に鑑みてなされたものであり、幼児が興味をもって楽しく言葉遊びを行うことができる疑似コミュニケーション用の携帯電話機型玩具を得ることを目的とする。
【課題を解決するための手段】
【０００７】  このような目的に応えるために本考案（請求項１記載の考案）に係る携帯電話機型玩具は、電話機本体と表示部付き蓋体とを開閉可能に連結してなる折り畳み式携帯電話機に合わせた形状を呈する携帯電話機型玩具であって、この携帯電話機型玩具は、幼児の話し声を音として感知する音センサを有するとともに話し声の途切れを判断する機能を有する音感知手段と、予め記憶したフレーズをスピーカから音声出力する音声発生手段と、前記音感知手段からの信号により前記音声発生手段での音声出力を制御する制御手段とを備えていることを特徴とする。【０００８】  本考案（請求項２記載の考案）に係る携帯電話機型玩具は、請求項１記載の携帯電話機型玩具において、携帯電話機型玩具はメインスイッチを備え、このメインスイッチのキー操作時、音センサによる音感知時あるいは蓋体の開蓋時のいずれかによって起動されるように構成されていることを特徴とする。【０００９】  本考案（請求項３記載の考案）に係る携帯電話機型玩具は、請求項１または請求項２記載の携帯電話機型玩具において、携帯電話機型玩具は、起動することにより蓋体の表示部にキャラクタ画像を表示するように構成されていることを特徴とする。【００１０】  本考案（請求項４記載の考案）に係る携帯電話機型玩具は、請求項３記載の携帯電話機型玩具において、表示部に表示されるキャラクタ画像を変更する手段を備えていることを特徴とする。
【考案の効果】
【００１１】  以上説明したように本考案に係る携帯電話機型玩具によれば、構造が簡単であるにもかかわらず、たとえば幼児が該玩具をもって蓋体を開いたり、メインスイッチをオンしたり、あるいは適宜の言葉を発することにより、その話し言葉が途切れたときに、予め記憶しているフレーズが順次音声出力されることになり、幼児が興味をもって楽しく、擬似的な言葉遊びをすることができる。【００１２】  また、本考案によれば、幼児が蓋体を開けることで表示部に適宜のキャラクタ画像を表示するように構成することにより、より一層の面白味を幼児に与えることができる。このような画像を変更可能に構成すれば、その効果は倍加する。【００１３】  さらに、本考案によれば、擬似的なコミュニケーションを行える程度の機能を備えていればよいことから、内部構造も簡単であり、コスト的にも安価に構成でき、玩具としての機能を発揮させ得るものである。
【考案を実施するための最良の形態】
【００１４】  図１ないし図３は本考案に係る携帯電話機型玩具の一実施の形態を示すものであり、これらの図において、符号１は一般に知られている折りたたみ式の携帯電話機に合わせた形状をもつ携帯電話機型玩具であり、電話機本体２と蓋体３とを備え、これらはヒンジ部４により開閉可能に連結されている。なお、図中５は一般的な携帯電話機を模した擬似的なキー操作部で、このキー操作部５は機能しない単純な装飾となっているところである。【００１５】  ６は携帯電話機型玩具１において蓋体２を開いたとき等に予め記憶している適宜のキャラクタ画像が表示される表示部であり、一般に知られている液晶パネルで構成されている。なお、７は蓋体２に設けた疑似的なアンテナである。【００１６】  前記携帯電話機型玩具１は、図１、図２に示すように、幼児の話し声を音として感知する音センサ８を有するとともに話し声の途切れを判断する機能を有する音感知手段１４と、記憶手段としてのメモリ１２に予め記憶した各種のフレーズを音声出力手段であるスピーカ９から音声出力する音声発生手段１３とを備えている。【００１７】  さらに、この携帯電話機型玩具１は、音感知手段１４からの信号により前記音声発生手段１３での音声出力を制御する制御手段としてのＣＰＵ１０を備えている。このＣＰＵ１０は、前記表示部６でのキャラクタ画像の表示を制御し、また該画像を適宜変更できるような制御機能をも備えている。このような種々のキャラクタ画像は、前記メモリ１２に記憶しておけばよい。【００１８】  以上の構成において、携帯電話機型玩具１は、前述したメインスイッチ１１のキー操作時にオン起動されるように構成している。しかし、これに限らず、音センサ８により外部の音、たとえば幼児の話し声を感知することでオン起動されるように構成してもよい。さらに、玩具１の蓋体２を開蓋操作したときに、ヒンジ部４等に設けたセンサでオンするように構成してもよい。【００１９】  このような携帯電話機型玩具１は、以下のように動作される。  すなわち、玩具１の蓋体３を開蓋操作すると、図３のＳ１０１からＳ１０２に進み、メインスイッチ１１がオンしているか否かの判断を行う。オンされたときは、幼児が遊びに入ったと判断し、Ｓ１０３で音検出を行う。すなわち、音センサ８により幼児の話し声を検出するか否かを判断し、音が感知されると、Ｓ１０４に進み、その話し声が途切れたか否かを判断する。そして、途切れたと判断すると、Ｓ１０５に進み、音声発生手段１３をオン状態、つまり該手段１３によってスピーカ９から適宜のフレーズの音声を出力する。  また、上述したメインスイッチ１１がオフ状態であっても、音センサ８が音を感知したとＳ１０６で判断されたときには、そのままＳ１０４、Ｓ１０５に進んで、音声出力を行うように構成してもよい。【００２０】  ここで、上述したスピーカ９から出力するフレーズとしては、幼児語である「お名前は？」、「お年は？」、「いくつですか？」等といったフレーズを、適宜の数だけ記憶しておき、それを適宜のタイミングで順次出力するように構成すればよい。【００２１】  このような構成による携帯電話機型玩具１によれば、たとえば幼児が該玩具をもって蓋体を開いたり、メインスイッチをオン���たり、あるいは適宜の言葉を発することにより、その話し言葉が途切れたときに、予め記憶しているフレーズが順次音声出力されることになり、幼児が興味をもって楽しく、擬似的な言葉遊びをすることができる。【００２２】  また、幼児が蓋体３を開けることで表示部６に適宜のキャラクタ画像を表示することにより、より一層の面白味を幼児に与えることができる。このような画像を変更可能に構成すれば、その効果は倍加する。【００２３】  さらに、このような構成による携帯電話機型玩具１は、擬似的なコミュニケーションを行える程度の機能を備えていればよいことから、内部構造も簡単であり、コスト的にも安価に構成でき、玩具としての機能を発揮させ得るという利点がある。【００２４】  なお、本考案は上述した実施の形態で説明した構造には限定されず、各部の形状、構造等を適宜変形、変更し得ることはいうまでもない。  たとえば上述した実施の形態では、メインスイッチ１１を特別に設けているが、これに限定されず、蓋体３の開蓋操作でオンするスイッチを、このメインスイッチとして用いてもよい。【００２５】  また、上述した表示部６に表示するキャラクタ画像としても、種々のものがあり、場合によっては動画を表示するように構成してもよい。  さらに、上述したメインスイッチ１１を電話機本体２の側部に設けたが、これに限定されず、前記キー操作部５のいずれかのスイッチ釦を該メインスイッチとして用いるように構成してもよい。
【図面の簡単な説明】
【００２６】
【図１】本考案に係る携帯電話機型玩具の一実施の形態を示し、外観全体の概略斜視図である。
【図２】本考案に係る携帯電話機型玩具の基本構成を示す概略構成図である。
【図３】本考案に係る携帯電話機型玩具の動作を示すフローチャートである。
【符号の説明】
【００２７】  １…携帯電話機型玩具、２…電話機本体、３…蓋体、４…ヒンジ部、５…キー操作部、６…表示部、７…アンテナ、８…音センサ、９…スピーカ（音声出力手段）、１０…ＣＰＵ（制御手段）、１１…メインスイッチ、１２…メモリ（記憶手段）、１３…音声発生手段、１４…音感知手段。
【図１】
0003108962.tif 000003
【図２】
0003108962.tif 000004
【図３】
0003108962.tif 000005